(57)【要約】【課題】パチンコ玉の表面にこびりついた汚れを短時間内で取り除くことが可能な、パチンコ玉の研磨方法を提供すること。【解決手段】パチンコ玉の研磨方法は、パチンコ島（１１）内に配置したスノコ（４３）上を移動するパチンコ玉に、パチンコ玉よりも小径のブラスト用ビーズを噴射することを含む。【選択図】  図１
2004194854.tif 000002
【特許請求の範囲】
【請求項１】
パチンコ島内に配置したスノコ上を移動するパチンコ玉に、パチンコ玉よりも小径のブラスト用ビーズを噴射する
ことを特徴とする、パチンコ玉の研磨方法。
【請求項２】
パチンコ玉が転がるスノコを貫通させたハウジングと、
先端を前記スノコに向けて前記ハウジング内に配置した、噴射空気流を発生するノズルと、
当該ノズルに圧縮空気を供給する手段と、
前記噴射空気流に基く吸引力によってブラスト用ビーズを吸引する、前記ハウジング内に配置した吸引ノズルと、
当該吸引ノズルに連結した、ブラスト用ビーズを収容するホッパーと、を備える
ことを特徴とする、パチンコ玉の研磨装置。
【請求項３】
前記ハウジングと前記ホッパーとを連結して作ったブラスト用ビーズの帰還路を備える
ことを特徴とする、請求項２に記載のパチンコ玉の研磨装置。
【請求項４】
前記ホッパーは粉粒体分離機の一部であり、
前記帰還路は前記粉粒体分離機の入口側に連結されている
ことを特徴とする、請求項３に記載のパチンコ玉の研磨装置。
【請求項５】
前記ハウジングに連結した集塵機を備える
ことを特徴とする、請求項２乃至４の何れかに記載のパチンコ玉の研磨装置。
【発明の詳細な説明】
【０００１】
【発明の属する技術分野】
この発明はパチンコ玉の研磨方法と、研磨装置とに関する。
【０００２】
【従来の技術】
パチンコ遊技場では、複数のパチンコ機それぞれの遊技面が実質的に同一面上に位置するように、複数のパチンコ機を横方向へ配列すると共に、このような２つの配列を背中合わせに設置してパチンコ島と呼称される遊技ゾーンを作り、パチンコ玉の研磨その他の管理などを原則としてパチンコ島単位で行っている。
【０００３】
パチンコ島内の各パチンコ機から放出される遊技済みのパチンコ玉は、パチンコ島内に配置した集合樋によって下部タンクに集められ、この下部タンクにおいて、又は揚送される間に研磨される（例えば、特許文献１及び特許文献２参照）。揚送されたパチンコ玉は、補給樋を経て各パチンコ機に補給される。この補給の間にパチンコ玉に付着した塵埃を取り除くこともある（例えば、特許文献３参照）。
【０００４】
【特許文献１】
特開平１１―２７６７０９号公報（第３−４頁）
【特許文献２】
特開平１１―２５３６４３号公報（第４−６頁）
【特許文献３】
特開２００２―５２２３０号公報（第２−４頁）
【０００５】
【発明が解決しようとする課題】
パチンコ玉に付着する汚れは、パチンコ玉が転がりながら移動することから、パチンコ玉の表面にこびりつく傾向がある。それゆえ、下部タンクに集められ、上方へ揚送される短い時間内の研磨によって汚れを落とし、また付加的に、パチンコ玉を補給する間に汚れを落とすことには限界があり、集合樋や補給樋その他の搬送器具が汚染される結果となっている。
【０００６】
【課題を解決するための手段】
この発明は、パチンコ玉の表面にこびりついた汚れを短時間内で取り除くことが可能な、パチンコ玉の研磨方法と、研磨装置とを提供することを課題とする。この課題を解決するため、この発明の発明者は、集合樋や補給樋その他の搬送樋をスノコで作ると共に、パチンコ玉がスノコを転がるとき、パチンコ玉をブラスト処理することとした。発明の詳しい内容については項を改めて説明する。なお、何れかの請求項の発明に関する用語の定義などは、発明の性質に反しない限り、別の請求項の発明にも適用されるものとする。
【０００７】
（請求項１に記載した発明の構成）
請求項１に記載した発明に係る、パチンコ玉の研磨方法（以下、請求項１の研磨方法という）は、パチンコ島内に配置したスノコ上を移動するパチンコ玉に、パチンコ玉よりも小径のブラスト用ビーズ（以下、単に「ビーズ」という）を噴射することを特徴とする。スノコは、集合樋や補給樋その他の搬送樋に設けたもので、パチンコ玉は通過しないが、ビーズが通過する複数のすきまを有する。スノコを下向き傾斜状態で配置すると、パチンコ玉はスノコ上を転がりながら移動する。ビーズは、樹脂、ガラスその他の、パチンコ玉より硬度の低い材料で、パチンコ玉より小径に作ったものである。このビーズの噴射には圧縮空気を利用するが、噴射圧力は、パチンコ玉が噴射を受けながらスノコを移動する短時間に、パチンコ玉にこびりついた汚れを落とすことができるように定める。すなわち、パチンコ玉の汚れの程度は、スノコを設ける搬送樋が補給樋であるか、集合樋であるかによって異なること、パチンコ玉の転がり速度は、スノコの傾斜角度によって異なることから、スノコを設置する場所、スノコの傾斜角度などに応じて、適切な噴射圧力を実験的に定めるようにする。
【０００８】
（請求項１に記載した発明の作用効果）
請求項１の研磨方法によれば、パチンコ玉にビーズを噴射し、打ちつけると、ビーズがパチンコ玉の表面にこびりついている汚れを短時間で落とし、ビーズはスノコのすきまから落下する。この際、ビーズは、パチンコ玉より硬度が低いことから、パチンコ玉の表面に傷をつけることがない。加えて、ビーズの大きさを選定することにより、遊技場名などのパチンコ玉への刻印に付着している汚れを落とすことができる。
【０００９】
（請求項２に記載した発明の構成）
請求項２に記載した発明に係る、パチンコ玉の研磨装置（以下、請求項２の研磨装置という）は、パチンコ玉が転がるスノコを貫通させたハウジングと、先端を前記スノコに向けて前記ハウジング内に配置した、噴射空気流を発生するノズルと、当該ノズルに圧縮空気を供給する手段と、前記噴射空気流に基く吸引力によってビーズを吸引する、前記ハウジング内に配置した吸引ノズルと、当該吸引ノズルに連結した、ビーズを収容するホッパーと、を備えることを特徴とする。ハウジングは、噴射空気及びビーズによるパチンコ玉のブラスト処理に必要な空間を確保すると共に、ビーズやブラスト処理に伴う埃などが外部に漏れるのを防ぎ、かつ、使用後のビーズを回収するものであるが、特定の形状である必要はない。ノズル及び吸引ノズルは、位置及び角度を調整可能に形成することが好ましく、これによって圧縮空気の噴射圧力、ビーズの大きさなどとの兼合いで、パチンコ玉に対して適切な位置及び角度を実験的に設定することができる。吸引ノズルは、ノズルと同軸状に配置する他、吸引ノズルの軸線とノズルの軸線とが交差するように配置することができる。圧縮空気の供給手段は、空気圧縮機の他、気水分離機、減圧弁などを備える。ホッパーは、ビーズを収容できるものであれば、どのような形状であってもよい。
【００１０】
（請求項２に記載した発明の作用効果）
請求項２の研磨装置によれば、スノコ上を転がりながらハウジング内を移動するパチンコ玉にノズルからビーズを噴射し、打ちつけると、ビーズがパチンコ玉の表面にこびりついている汚れを短時間で落とす。そして、ビーズや汚れの成分はスノコのすきまから落下し、ハウジング内に溜まる。ハウジング内にはスノコの一部と、ノズル及び吸引ノズルとを配置すればよく、圧縮空気を供給する手段やホッパーはハウジングとは別個に設けうることから、ハウジングの大きさを可及的に小さくすることが可能であり、他の機器との干渉を避けてパチンコ島に配置することができる。
【００１１】
（請求項３に記載した発明の構成）
請求項３に記載した発明に係る、パチンコ玉の研磨装置（以下、請求項３の研磨装置という）は、請求項２の研磨装置に限定が加わり、前記ハウジングと前記ホッパーとを連結して作ったビーズの帰還路を備えることを特徴とする。ハウジングで回収したビーズを、帰還路を経てホッパーに導くには、帰還路に配置する排風機を使用するか、又は別途設けることが好ましい集塵機の排風機と兼用する。
【００１２】
（請求項３に記載した発明の作用効果）
請求項３の研磨装置によれば、ハウジングで回収したビーズをホッパーに導き、ビーズの再利用を効率良く行うことができる。
【００１３】
（請求項４に記載した発明の構成）
請求項４に記載した発明に係る、パチンコ玉の研磨装置（以下、請求項４の研磨装置という）は、請求項３の研磨装置に限定が加わり、前記ホッパーは粉粒体分離機の一部であり、前記帰還路は前記粉粒体分離機の入口側に連結されていることを特徴とする。粉流体分離機は、その入口側に邪魔板を配置して形成し、埃のような粉体及び空気と、ビーズからなる粒体とを邪魔板で分離する形態の他、サイクロンとすることができる。
【００１４】
（請求項４に記載した発明の作用効果）
請求項４の研磨装置によれば、帰還路を経て粉粒体分離機の入口側に達した粉体及び空気と、粒体とを自動的に分離し、ビーズからなる粒体をホッパーに回収することができる。
【００１５】
（請求項５に記載した発明の構成）
請求項５に記載した発明に係る、パチンコ玉の研磨装置（以下、請求項５の研磨装置という）は、請求項２乃至４の何れかの研磨装置に限定が加わり、前記ハウジングに連結した集塵機を備えることを特徴とする。集塵機は、ろ布を用いたものやサイクロン、電気式のコットレルなどを使用することができる。
【００１６】
（請求項５に記載した発明の作用効果）
請求項５の研磨装置によれば、ブラスト処理するときハウジング内で発生する埃を集塵機で集塵し、環境を保全することが出来る。
【００１７】
【発明の実施形態】
以下に図面を参照してこの発明の実施形態について説明する。図面中、図１はパチンコ島を模式的に示す正面図、図２は本発明に係る研磨装置の概略を示す断面図、図３はノズル及び吸引ノズルの断面図である。
【００１８】
（パチンコ島の概略）
パチンコ島１１は、複数のパチンコ機１３，１３・・を、それぞれの遊技面１３ａが実質的に同一面上に位置するように横方向へ配列し、この配列を背中合わせにして作られている。したがって、図１の紙背側には同数のパチンコ機が遊技面を紙背に向けて並んでいる。パチンコ島１１内には集合樋１５を下向き傾斜状に配置してあり、各パチンコ機１３，１３・・から放出される遊技済みのパチンコ玉や、玉計数器１７で計数を済ませたパチンコ玉が集合樋１５上を転がりながら下部タンク１９へ向けて移動する。集合樋１５からこぼれ落ちたパチンコ玉は、貯蔵タンク２１に蓄えられる。貯蔵タンク２１の底（図示を省略）は集合樋１５と同様に、下向き傾斜状に形成してあり、貯蔵タンク２１内のパチンコ玉はミニリフト２３に向けて移動し、ミニリフト２３によって集合樋１５まで持ち上げられる。
【００１９】
集合樋１５を転がりながら移動するパチンコ玉は、異物除去器２５を経て下部タンク１９に入り、揚送装置２７によって上方へ運ばれる。パチンコ玉は、上方へ運ばれる間に、又は下部タンク１９において、従来と同様に研磨される。上方へ運ばれたパチンコ玉は補給樋２９に供給され、この補給樋２９から各パチンコ機１３に補給される。図１に示す実施形態では、揚送装置２７がパチンコ島１１の横方向のほぼ中央に位置しており、２つの補給樋２９，２９をパチンコ島１１の妻に向けて下向き傾斜状に配置してある。揚送装置２７によって上方へ運ばれたパチンコ玉が補給樋２９に入れきれない過剰状態になると、パチンコ玉は上部タンク３１に入り、分配樋３３に導かれる。分配樋３３は、図１では煩雑さを避けるため、パチンコ島１１の中央から左側のみに記載してあるが、これは右側にも同様に配置する。分配樋３３には等間隔をおいて複数の分配チューブ３３ａを取りつけてあり、パチンコ玉は、分配チューブ３３ａを経て集合樋１５又は貯蔵タンク２１に落下する。
【００２０】
（研磨方法の構成）
この発明に係るパチンコ玉の研磨方法は、パチンコ島１１内に配置したスノコ上を移動するパチンコ玉に、パチンコ玉よりも小径のビーズを噴射することを含む。例えば、集合樋１５の底面にスノコを配置すると共に、異物除去器２５の入口側において、ガラス又は樹脂製のビーズ３５をパチンコ玉に噴射し、ブラスト処理する。前述したように、パチンコ玉は下部タンク１９又は揚送装置２７において研磨されることから、その手前にあって集合樋１５を転がるパチンコ玉の汚れが一番激しい。そのため、集合樋１５においてパチンコ玉をブラスト処理することがもっとも効果的であるが、補給樋２９や分配樋３３においてもブラスト処理することができる。
【００２１】
（研磨装置の構成）
この発明に係る研磨装置４１は、図２に示すように、パチンコ玉が転がるスノコ４３を貫通させたハウジング４５と、先端をスノコ４３に向けてハウジング４５内に配置した、噴射空気流を発生するノズル４７と、ノズル４７に圧縮空気を供給する手段４９と、噴射空気流に基く吸引力によってビーズ３５を吸引する、ハウジング４５内に配置した吸引ノズル５１と、吸引ノズル５１に連結した、ビーズ３５を収容するホッパー５３と、を備える。
【００２２】
ハウジング４５は、スノコ４３の全長に渡ってスノコ４３を被う必要はなく、スノコ４３の一部を被うだけでよい。ビーズ３５のパチンコ玉への噴射は、短時間で十分であり、少なくともその時間だけパチンコ玉がスノコ４３上を転がってハウジング４５内を通過すればよい。パチンコ玉の汚れの程度や、ビーズ３５の噴射圧力及び粒径、スノコ４３の傾斜角度などによってブラスト処理に必要な時間が異なるが、この時間は実験的に定めうる。この実験的に定めた時間以上、パチンコ玉がハウジング４５内に留まっているように各寸法を定める。ハウジング４５には、適宜、開閉可能に形成した作業孔４５ａや点検窓４５ｂなどを設ける。
【００２３】
ノズル４７と吸引ノズル５１とは、例えば図３に示すように形成することができる。図３の実施形態では、ノズル４７は、噴射空気流を発生する口金５５と、チップ５７とからなり、吸引ノズル５１は、口金５５を取り巻き、口金５５の周りに空間６０を形成する囲み壁５９と、囲み壁５９にねじ込んだニップル６１とからなる。囲み壁５９に口金５５をねじ込んで空間６０への突出長さを調整し、口金５５にねじ込んだロックナット６３を囲み壁５９に押しつけて口金５５の緩みを防いでいる。一方、囲み壁５９に補助チップ６５をねじ込み、チップ５７を補助チップ６５にねじ込んで、ノズル４７が形成されている。口金５５を圧縮空気の供給手段４９に接続し、ニップル６１をホッパー５３に接続する。
【００２４】
圧縮空気の供給手段４９は、空気圧縮機（図示を省略）と、この空気圧縮機に接続される、ドレンを排水できる気水分離器６７と、減圧弁６９とを備えており、適宜、圧力計６９ａを備えうる。気水分離機６７の出口は、ホース７１によってノズル４７の口金５５に接続してあり、ホース７１に電磁作動弁７３を組み込んである。電磁作動弁７３はフットスイッチ７３ａによって作動する。
【００２５】
（研磨装置の変形例）
図２に示す研磨装置４１は、ハウジング４５とホッパー５３とを連結する、ビーズ３５の帰還路７５を有する。帰還路７５は、ハウジング４５の底部から延び、ホッパー５３の上方部位に連結している。
【００２６】
図示の実施形態では、ホッパー５３は、粉粒体分離機７７の一部であってハウジング４５の頂部に取り付けられ、帰還路７５は粉粒体分離機７７の入口側に連結している。すなわち、粉粒体分離機７７は、密閉した容器で作られていてその下方部分がホッパー５３となっており、帰還路７５の出口に対面して配置した邪魔板７７ａを有する。そして、研磨装置４１は、粉粒体分離機７７の出口側にダクト７７ｂを介して連結した集塵機７９を備える。
【００２７】
（研磨装置の作用）
吸引ノズル５１のニップル６１とホッパー５３とをホース８１で接続し、空気圧縮機から図２の矢印Ａに向けて圧縮空気を供給する。集塵機７９に設置した排風機８３を回転して粉粒体分離機７７を吸引し、内部を負圧状態にする。パチンコ玉がスノコ４３上を転がりながら移動しているとき、フットスイッチ７３ａを踏むと、電磁作動弁７３が開いて、所定圧に設定された圧縮空気がノズル４７の口金５５を通過する。圧縮空気が口金５５からチップ５７に向けて流動するとき、吸引ノズル５１の空間６０内が負圧となるため、ビーズ３５がホッパー５３から吸引され、空間６０に達する。その後、ビーズ３５は圧縮空気と一緒に流動して、スノコ４３上のパチンコ玉に噴射される。
【００２８】
ビーズ３５と、パチンコ玉から落とされた埃その他の汚れ成分などは、ハウジング４５の底部から帰還路７５に吸引されて帰還路７５を矢印Ｂのように移動する。帰還路７５の出口に邪魔板７７ａがあるため、主としてビーズ３５は邪魔板７７ａに衝突して運動エネルギーを消失するが、ビーズ３５より軽量の埃その他の汚れ成分の運動エネルギーの消失は少ない。その結果、邪魔板７７ａの出口で、ビーズ３５は矢印Ｃのように落下してホッパー５３に溜まり、埃その他の汚れ成分は矢印Ｄのように粉粒体分離機７７の出口へ向けて移動し、集塵機７９で集塵される。パチンコ玉のブラスト処理が不要となったとき、フットスイッチ７３ａの踏みつけを止めると、電磁作動弁７３が閉まり、ビーズ３５の噴射が停止する。このように、電磁作動弁７３をフットスイッチ７３ａで作動する他、自動的に作動することもできる。例えば、タイマーを使用して電磁作動弁７３を一定時間開いておくこともできる。
【００２９】
【発明の効果】
この発明によれば、パチンコ玉にビーズを噴射し、パチンコ玉にこびりついた汚れを落とすことができる。
【図面の簡単な説明】
【図１】パチンコ島を模式的に示す正面図で、パチンコ機の上下に配置するパネルを省いてある。
【図２】本発明に係る研磨装置の概略を示す断面図である。
【図３】ノズル及び吸引ノズルの断面図である。
【符号の説明】
１１    パチンコ島
１３    パチンコ機
１３ａ  遊技面
１５    集合樋
１７    玉計数器
１９    下部タンク
２１    貯蔵タンク
２３    ミニリフト
２５    異物除去器
２７    揚送装置
２９    補給樋
３１    上部タンク
３３    分配樋
３３ａ  分配チューブ
３５    ビーズ
４１    研磨装置
４３    スノコ
４５    ハウジング
４５ａ  作業孔
４５ｂ  点検窓
４７    ノズル
４９    圧縮空気の供給手段
５１    吸引ノズル
５３    ホッパー
５５    口金
５７    チップ
５９    囲み壁
６０    空間
６１    ニップル
６３    ロックナット
６５    補助チップ
６７    気水分離器
６９    減圧弁
６９ａ  圧力計
７１    ホース
７３    電磁作動弁
７３ａ  フットスイッチ
７５    帰還路
７７    粉粒体分離機
７７ａ  邪魔板
７７ｂ  ダクト
７９    集塵機
８１    ホース
８３    排風機
【図１】
2004194854.tif 000003
【図２】
2004194854.tif 000004
【図３】
2004194854.tif 000005